(57)【要約】      （修正有）【課題】睡眠中に血行が阻害されるの抑えると共に身体の歪みを補整することができる上面縦溝形成敷布団を提供する。【解決手段】上面縦溝形成敷布団１０の上生地１２と下生地１４の間には縦溝形成体１６が配設されている。縦溝形成体１６の上面１６Ａには上面縦溝形成敷布団１０の縦方向に沿って縦溝形成用凹部１８が直線状に複数本形成されている。縦溝形成体１６の上には縦溝形成体上側芯体２０が配設されている。縦溝形成体１６の下には不織布シート２２、縦溝形成体下側第１芯体２４、縦溝形成体下側第２芯体２６が積層状態で配設されている。上生地１２と縦溝形成体上側芯体２０と縦溝形成体１６の縦溝形成用凹部１８の中央部は糸３０で縫着され、上生地１２と縦溝形成体上側芯体２０は縦溝形成用凹部１８に沿うため上面縦溝形成敷布団１０の上面には直線状の縦溝３６が複数本形成される。【選択図】図２
0003156020.tif 000002
【実用新案登録請求の範囲】
【請求項１】
上面に直線状の縦溝が複数形成された上面縦溝形成敷布団であって、この上面縦溝形成敷布団の内部に配設された縦溝形成体と、この縦溝形成体の上面に上面縦溝形成敷布団の縦方向に向かって直線状に形成されると共に上面縦溝形成敷布団の横方向に間隔を設けて形成された複数の縦溝形成用凹部と、を有してなることを特徴とする上面縦溝形成敷布団。
【請求項２】
上面に直線状の縦溝が複数形成された上面縦溝形成敷布団であって、この上面縦溝形成敷布団の内部に配設された縦溝形成体と、この縦溝形成体の上面に上面縦溝形成敷布団の縦方向に向かって直線状に形成されると共に上面縦溝形成敷布団の横方向に間隔を設けて形成された複数の縦溝形成用凹部と、上面縦溝形成敷布団の内部に配設されると共に前記縦溝形成体の上に配設された縦溝形成体上側芯体と、を有してなることを特徴とする上面縦溝形成敷布団。
【請求項３】
上面に直線状の縦溝が複数形成された上面縦溝形成敷布団であって、この上面縦溝形成敷布団の内部に配設された縦溝形成体と、この縦溝形成体の上面に上面縦溝形成敷布団の縦方向に向かって直線状に形成されると共に上面縦溝形成敷布団の横方向に間隔を設けて形成された複数の縦溝形成用凹部と、上面縦溝形成敷布団の内部に配設されると共に前記縦溝形成体の上に配設された縦溝形成体上側芯体と、上面縦溝形成敷布団の内部に配設されると共に前記縦溝形成体の下に配設された縦溝形成体下側芯体と、を有してなることを特徴とする上面縦溝形成敷布団。
【請求項４】
上面に直線状の縦溝が複数形成された上面縦溝形成敷布団であって、この上面縦溝形成敷布団の内部に配設された縦溝形成体と、この縦溝形成体の上面に上面縦溝形成敷布団の縦方向に向かって直線状に形成されると共に上面縦溝形成敷布団の横方向に間隔を設けて形成された複数の縦溝形成用凹部と、上面縦溝形成敷布団の内部に配設されると共に前記縦溝形成体の上に配設された縦溝形成体上側芯体と、上面縦溝形成敷布団の内部に配設されると共に前記縦溝形成体の下に配設された縦溝形成体下側芯体と、上面縦溝形成敷布団の内部に配設されると共に前記縦溝形成体下側芯体の下に配設されたハニカム構造体と、を有してなることを特徴とする上面縦溝形成敷布団。
【考案の詳細な説明】
【技術分野】
【０００１】
本考案は、主に睡眠時に使用する敷布団に関し、詳しくは睡眠中に血流が阻害されるのを抑えると共に身体の歪みを補整することができる上面縦溝形成敷布団に関する。
【背景技術】
【０００２】
従来、袋状の布団側に綿やスポンジ等の適宜材料からなる芯材を均一に充填して一定の厚みにした敷布団やプレート状の弾性体等を積層配設して一定の厚みにした敷布団が提案されている（特許文献１）。
しかし、このタイプの敷布団は上面がフラットであるため寝ると背中部、腰部、臀部、脚部等の多くの部分が敷布団と当接するので、敷布団と強く当接する部分は血流が妨げられて鬱血するため睡眠中に頻繁に寝返りをすることになり、熟睡しにくいという不具合がある。
また、従来の敷布団では睡眠中に身体の歪みを補整する効果を期待することはできない。
【先行技術文献】
【特許文献】
【０００３】
【特許文献１】特開２００６−６８３６５号
【考案の概要】
【考案が解決しようとする課題】
【０００４】
本考案は、上記事実に鑑みなされたものであり、睡眠中に血行が阻害されるのを抑えると共に身体の歪みを補整することができる上面縦溝形成敷布団を提供するものである。
【課題を解決するための手段】
【０００５】
請求項１の考案は、上面に直線状の縦溝が複数形成された上面縦溝形成敷布団であって、この上面縦溝形成敷布団の内部に配設された縦溝形成体と、この縦溝形成体の上面に上面縦溝形成敷布団の縦方向に向かって直線状に形成されると共に上面縦溝形成敷布団の横方向に間隔を設けて形成された複数の縦溝形成用凹部と、を有してなることを特徴としている。
請求項２の考案は、上面に直線状の縦溝が複数形成された上面縦溝形成敷布団であって、この上面縦溝形成敷布団の内部に配設された縦溝形成体と、この縦溝形成体の上面に上面縦溝形成敷布団の縦方向に向かって直線状に形成されると共に上面縦溝形成敷布団の横方向に間隔を設けて形成された複数の縦溝形成用凹部と、上面縦溝形成敷布団の内部に配設されると共に前記縦溝形成体の上に配設された縦溝形成体上側芯体と、を有してなることを特徴としている。
請求項３の考案は、上面に直線状の縦溝が複数形成された上面縦溝形成敷布団であって、この上面縦溝形成敷布団の内部に配設された縦溝形成体と、この縦溝形成体の上面に上面縦溝形成敷布団の縦方向に向かって直線状に形成されると共に上面縦溝形成敷布団の横方向に間隔を設けて形成された複数の縦溝形成用凹部と、上面縦溝形成敷布団の内部に配設されると共に前記縦溝形成体の上に配設された縦溝形成体上側芯体と、上面縦溝形成敷布団の内部に配設されると共に前記縦溝形成体の下に配設された縦溝形成体下側芯体と、を有してなることを特徴としている。
請求項４の考案は、上面に直線状の縦溝が複数形成された上面縦溝形成敷布団であって、この上面縦溝形成敷布団の内部に配設された縦溝形成体と、この縦溝形成体の上面に上面縦溝形成敷布団の縦方向に向かって直線状に形成されると共に上面縦溝形成敷布団の横方向に間隔を設けて形成された複数の縦溝形成用凹部と、上面縦溝形成敷布団の内部に配設されると共に前記縦溝形成体の上に配設された縦溝形成体上側芯体と、上面縦溝形成敷布団の内部に配設されると共に前記縦溝形成体の下に配設された縦溝形成体下側芯体と、上面縦溝形成敷布団の内部に配設されると共に前記縦溝形成体下側芯体の下に配設されたハニカム構造体と、を有してなることを特徴としている。
【考案の効果】
【０００６】
本考案の上面縦溝形成敷布団は、上面に縦溝が複数形成されているので、縦溝に対応する身体の背中部、腰部、臀部、脚部は圧迫されにくいので血行が阻害されるのを少なくできるため寝返りの回数が少なくなることにより熟睡することができるという優れた効果を有する。
また、本考案の上面縦溝形成敷布団は、上面に縦溝が複数形成されているので、睡眠中に身体が無意識のうちに前記縦溝に沿って身体が伸びて身体の歪を補整することができるという優れた効果を有する。
さらに、本考案の上面縦溝形成敷布団は、上面に縦溝が複数形成されているため、身体との間に空気層が形成されるので夏は通気性が向上し、冬は保温性が向上することにより熟睡に貢献することができるという優れた効果を有する。
【図面の簡単な説明】
【０００７】
【図１】第１実施例の上面縦溝形成敷布団の全体斜視図である。
【図２】第１実施例の上面縦溝形成敷布団の一部拡大縦断面図である。
【図３】第１実施例の上面縦溝形成敷布団の使用状態を示す全体斜視図である。
【図４】第２実施例の上面縦溝形成敷布団の一部拡大縦断面図である。
【図５】第３実施例の上面縦溝形成敷布団の一部拡大縦断面図である。
【考案を実施するための形態】
【０００８】
考案を実施するために最良の形態の例として以下のような実施例を示す。
【実施例１】
【０００９】
図１〜図３には本考案に係る上面縦溝形成敷布団の第１実施例が示されている。
図１に示されるように第１実施例の上面縦溝形成敷布団１０は平面視長方形状に形成されている。この実施例では上面縦溝形成敷布団１０の縦方向（図１矢印Ａ方向）寸法は２１０ｃｍ、横方向（図１矢印Ｂ方向）寸法は１００ｃｍとされている。
前記上面縦溝形成敷布団１０の上面に配設される上生地１２と下面に配設される下生地１４(図２参照)は綿１００％で抗菌防臭加工された生地で形成されている。この上生地１２と下生地１４は上面縦溝形成敷布団１０の側面で縫着されている。
図２に示されるように、前記上生地１２と下生地１４の間には縦溝形成体１６が配設されている。この縦溝形成体１６は弾性体としての硬質ウレタンフォームで平面視長方形状に形成されている。
前記縦溝形成体１６の上面１６Ａには上面縦溝形成敷布団１０の縦方向に沿って縦溝形成用凹部１８が直線状に形成されている。この縦溝形成用凹部１８は上面縦溝形成敷布団１０の横方向に一定間隔を置いて複数本形成されている。
前記縦溝形成体１６の上には縦溝形成体上側芯体２０が配設されている。この縦溝形成体上側芯体２０はウール５０％、ポリエステル５０％の弾性体としての綿でフラットな平面視長方形状に形成されている。
前記縦溝形成体１６の下には不織布で形成された不織布シート２２が配設されている。この不織布シート２２の下には縦溝形成体下側芯体としての縦溝形成体下側第１芯体２４が配設されている。この縦溝形成体下側第１芯体２４は弾性体としてのポリエステル硬綿でフラットな平面視長方形状に形成されている。
前記縦溝形成体下側第１芯体２４の下には縦溝形成体下側芯体としての縦溝形成体下側第２芯体２６が配設されている。この縦溝形成体下側第２芯体２６はウール１００％の弾性体としての綿でフラットな平面視長方形状に形成されている。
前記上生地１２と縦溝形成体上側芯体２０と縦溝形成体１６の縦溝形成用凹部１８の中央部は糸３０で縫着されている。
従って、上生地１２と縦溝形成体上側芯体２０は縦溝形成用凹部１８に沿うため突出部３２と凹部３４が形成されることにより上面縦溝形成敷布団１０の上面には直線状の縦溝３６が上面縦溝形成敷布団１０の横方向に一定の間隔を設けて複数本形成される。なお、この実施例では前記縦溝３６の最大深さ寸法（突出部３２から凹部３４までの寸法）は約１．２ｃｍ、最大幅寸法（横方向寸法）は約５ｃｍとされている。
【００１０】
次に、第１実施例の上面縦溝形成敷布団１０の作用について説明する。
実施例の上面縦溝形成敷布団１０を使用して寝た場合、縦溝３６と対応する身体の部分は上面縦溝形成敷布団１０と触れにくくなるため縦溝３６に対応する身体の部分は血行が阻害されにくいので血液の循環が良くなり鬱血を抑えるため睡眠中に寝返りをする回数が減少する。この結果、熟睡することができると共に自然な寝覚めを迎えることができる。
また、上面縦溝形成敷布団１０を使用して寝た場合、縦方向に伸びる複数の縦溝３６が身体を縦溝３６に沿うように誘導するので身体が無意識のうちに自然に真っ直ぐになり（図３参照）、睡眠中は身体を伸ばした状態を長く保つことができるので身体の歪みを補整することができる。
しかも、寝返りをして寝姿勢が乱れても複数の縦溝３６が身体を縦溝３６に沿うように誘導するので再び身体が無意識のうちに自然に真っ直ぐになる。
さらに、縦溝３６を複数本形成することにより上面縦溝形成敷布団１０と身体の間に空気層が形成されるので夏は通気性が向上し、冬は保温性が向上することにより熟睡に貢献することができる。
また、上面に縦溝３６が複数本形成されているので寝た状態の身体に適度な刺激を与えることができる。
【００１１】
図４には本考案に係る上面縦溝形成敷布団の第２実施例が示されている。なお、第１実施例の上面縦溝形成敷布団１０と同一の構成は同一の符号を用いてその説明を省略する。
図４に示されるように、第２実施例の上面縦溝形成敷布団４０においては前記縦溝形成体下側第２芯体２６の下に合成樹脂材で形成されたハニカム構造体４２が配設されている。
このハニカム構造体４２を配設することにより上面縦溝形成敷布団４０の通気性が向上し夏場等の蒸し暑い時等でも眠り易くなる。
また、病気や怪我等により長期間にわたり上面縦溝形成敷布団４０で寝ていてもハニカム構造体４２を配設することにより背中部、腰部、臀部、脚部や上面縦溝形成敷布団４０が蒸れたりするのを抑えることができる。
なお、他の構成及び作用、効果は第１実施例の上面縦溝形成敷布１０と同一であるので他の説明は省略する。
【００１２】
図５には本考案に係る上面縦溝形成敷布団の第３実施例が示されている。なお、第１実施例の上面縦溝形成敷布団１０と同一の構成は同一の符号を用いてその説明を省略する。
図５に示されるように、第３実施例の上面縦溝形成敷布団５０の縦溝形成体１６の下には第１実施例の上面縦溝形成敷布団１０のような縦溝形成体下側第１芯体２４、縦溝形成体下側第２芯体２６は設けられていない。
なお、前記上面縦溝形成敷布団５０の縦溝形成体１６の下面１６Ｂはフラットに形成されている。
従って、上面縦溝形成敷布団５０は第１実施例の上面縦溝形成敷布団１０に比べて構成部材を減らすことができるので価格を抑えることができるという利点がある。
なお、他の構成及び作用、効果は第１実施例の上面縦溝形成敷布１０と同一であるので他の説明は省略する。
【００１３】
なお、実施例では縦溝形成体１６を硬質ウレタンフォームで形成し、縦溝形成体上側芯体２０をウール５０％、ポリエステル５０％の綿で形成し、縦溝形成体下側第１芯体２４をポリエステル硬綿で形成し、縦溝形成体下側第２芯体２６をウール１００％の綿で形成したが、前記縦溝形成体１６、縦溝形成体上側芯体２０、縦溝形成体下側第１芯体２４、縦溝形成体下側第２芯体２６の材料は実施例に記載された前記材料に限定されるものでないことは勿論である。
また、実施例では上生地１２と縦溝形成体上側芯体２０と縦溝形成体１６の縦溝形成用凹部１８を糸３０で縫着することにより、上面縦溝形成敷布団１０の上面に直線状の縦溝３６を複数形成したが、例えば上生地１２と縦溝形成体上側芯体２０を接着すると共に縦溝形成体上側芯体２０を縦溝形成体１６と接着することにより、上面縦溝形成敷布団１０に縦溝３６を形成するようにしてもよいことは勿論である。
なお、実施例では縦溝形成体１６の上に縦溝形成体上側芯体２０を配設したが、必ずしも縦溝形成体１６の上に縦溝形成体上側芯体２０を設けなくてもよいことは勿論である。
また、実施例では前記縦溝３６の寸法を最大深さ寸法（突出部３２から凹部３４までの寸法）は約１．２ｃｍ、最大幅寸法（横方向寸法）は約５ｃｍとしたが、縦溝３６の寸法は実施例に限定されるものでないことは勿論である。
【産業上の利用可能性】
【００１４】
本考案の上面縦溝形成敷布団は、家庭用の敷布団だけでなく業務用の敷布団等色々な分野に適用することができる。
【符号の説明】
【００１５】
１０    上面縦溝形成敷布団
１２    上生地
１４    下生地
１６    縦溝形成体
１８    縦溝形成用凹部
２０    縦溝形成体上側芯体
２２    不織布シート
２４    縦溝形成体下側第１芯体
２６    縦溝形成体下側第２芯体
３２    突出部
３４    凹部
３６    縦溝
４０    上面縦溝形成敷布団
５０    上面縦溝形成敷布団
【図１】
0003156020.tif 000003
【図２】
0003156020.tif 000004
【図３】
0003156020.tif 000005
【図４】
0003156020.tif 000006
【図５】
0003156020.tif 000007